(57)【要約】【課題】入出庫口及び自転車室のレイアウトの自由度を増すことができ、また走行台車装置の数も増やすことができる機械式自転車駐輪設備を提供する。【解決手段】本発明の機械式自転車駐輪設備は、自転車がセットされる入出庫口１ａ，１ｂと、入出庫口１ａ，１ｂとの間で自転車の受け渡しを行うと共に、自転車を昇降及び／又は水平面内で旋回させる入出庫装置２ａ，２ｂと、入出庫装置２ａ，２ｂによって自転車の受け渡しが行われると共に、自転車を水平方向に移動させる中継装置３ａ，３ｂと、中継装置３ａ，３ｂとの間で自転車の受け渡しを行うと共に、自転車を保管棚５に収容する走行台車装置４ａ〜４ｄと、を備える。【選択図】  図１
2014224443.tif 000002
【特許請求の範囲】
【請求項１】
自転車がセットされる入出庫口と、
前記入出庫口との間で自転車の受け渡しを行うと共に、自転車を昇降及び／又は水平面内で旋回させる入出庫装置と、
前記入出庫装置によって自転車の受け渡しが行われると共に、自転車を水平方向に移動させる中継装置と、
前記中継装置との間で自転車の受け渡しを行うと共に、自転車を保管棚に収容する走行台車装置と、を備える機械式自転車駐輪設備。
【請求項２】
前記中継装置の走行路に沿って複数の走行台車装置が設けられ、
前記中継装置と前記複数の走行台車装置との間で自転車を受け渡すことが可能であることを特徴とする請求項１に記載の機械式自転車駐輪設備。
【請求項３】
前記中継装置は、自転車を水平方向に移動させ、かつ自転車を水平面内で旋回させることを特徴とする請求項１又は２に記載の機械式自転車駐輪設備。
【請求項４】
前記中継装置の走行路に沿って複数の走行台車装置が設けられると共に、前記中継装置の前記走行路を挟んだ左右それぞれに前記複数の走行台車装置が設けられ、
前記中継装置と前記複数の走行台車装置との間で自転車を受け渡すことが可能であることを特徴とする請求項１ないし３のいずれかに記載の機械式自転車駐輪設備。
【請求項５】
前記入出庫口並びに前記入出庫装置が複数設けられ、
一方の前記入出庫口から入庫された自転車を、前記中継装置を介して他方の前記入出庫口から出庫することが可能であることを特徴とする請求項１ないし４のいずれかに記載の機械式自転車駐輪設備。
【請求項６】
前記中継装置の前記走行路に複数の中継装置が設けられることを特徴とする請求項４又は５に記載の機械式自転車駐輪設備。
【請求項７】
前記中継装置の走行路が複数設けられ、
前記入出庫装置は、自転車を旋回させて、前記複数の走行路それぞれに設けられた中継装置に自転車を受け渡すことを特徴とする請求項１ないし６のいずれかに記載の機械式自転車駐輪設備。
【請求項８】
前記保管棚が車道の下に配置され、前記入出庫口が歩道に配置されることを特徴とする請求項１ないし７のいずれかに記載の機械式自転車駐輪設備。
【請求項９】
建築物の内部又は外部に配置され、自転車がセットされる入出庫口と、
前記入出庫口との間で自転車の受け渡しを行うと共に、自転車を昇降及び／又は水平面内で旋回させる入出庫装置と、
前記建築物の内部に配置され、自転車を保管する保管棚と、
前記入出庫装置が受け取った自転車を前記保管棚まで移動させる移動経路と、を備え、
前記移動経路は、
自転車を水平方向に移動させる中継装置の走行路と、
前記中継装置との間で自転車の受け渡しを行うと共に、自転車を前記保管棚に収容する走行台車装置の走行路と、を備える機械式自転車駐輪設備。
【請求項１０】
前記中継装置の走行路と前記走行台車装置の走行路とが直交することを特徴とする請求項９に記載の機械式自転車駐輪設備。
【請求項１１】
前記中継装置の走行路の左右の両側に複数の走行台車装置の走行路が配置され、
前記中継装置は、自転車を水平面内で旋回させる機能を持つと共に、前記複数の走行台車装置に自転車を振り分けることを特徴とする請求項９又は１０に記載の機械式自転車駐輪設備。
【請求項１２】
一台の前記入出庫装置に対して複数の中継装置の走行路が配置され、
前記入出庫装置は、自転車を水平面内で旋回させる機能を持つと共に、前記複数の中継装置に自転車を振り分けることを特徴とする請求項９又は１０に記載の機械式自転車駐輪設備。
【請求項１３】
前記保管棚は、第一及び第二の保管棚を備え、
前記走行台車装置は、前記第一の保管棚に自転車を収容する第一の走行台車装置と、前記第二の保管棚に自転車を収容する第二の走行台車装置と、を備え、
前記移動経路には、前記第一の走行台車装置と前記第二の走行台車装置との間で自転車の受け渡しができるように、自転車を水平方向に移動及び／又は水平面内で旋回させる走行台車中継装置が配置されることを特徴とする請求項９又は１０に記載の機械式自転車駐輪設備。
【請求項１４】
前記移動経路の少なくとも一部は、前記建築物を支持する複数の柱の間を通り抜けるように配置され、
前記保管棚は、前記走行台車装置の走行路の長手方向に沿って配置され、
自転車は、その前後輪の方向が前記走行台車装置の走行路の長手方向と略直交するように前記保管棚に収容されることを特徴とする請求項９又は１０に記載の機械式自転車駐輪設備。
【請求項１５】
入出庫口にセットされた自転車を保管棚に保管する機械式自転車駐輪方法において、
入出庫装置が前記入出庫口との間で自転車の受け渡しを行う工程と、
前記入出庫装置が自転車を昇降及び／又は水平面内で旋回させる工程と、
前記入出庫装置が中継装置との間で自転車の受け渡しを行う工程と、
前記中継装置が自転車を水平方向に移動させる工程と、
走行台車装置が前記中継装置との間で自転車の受け渡しを行う工程と、
前記走行台車装置が自転車を保管棚に収容する工程と、を備える機械式自転車駐輪方法。
【発明の詳細な説明】
【技術分野】
【０００１】
本発明は、入出庫口にセットされた自転車を保管棚に収容する機械式自転車駐輪設備及び方法に関する。
【背景技術】
【０００２】
機械式自転車駐輪設備では、利用者が地上部の入出庫口に自転車をセットし、カード操作又はボタン操作を行うと、機械が自転車を入出庫口から保管棚まで自動的に搬送し、保管棚に自転車を収容するようになっている。
【０００３】
この種の機械式自転車駐輪設備には設置場所に応じて円筒型（地上式又は地下式）、水平型（地上式又は地下式）が存在する。
【０００４】
円筒型の機械式自転車駐輪設備では、地上又は地下に円筒形の自転車室を構築し、自転車室の中心部に自転車を昇降させるエレベータを配置し、エレベータの周囲に放射状にかつ上下方向に多段に保管棚を配列している。エレベータは自転車を受け渡すための移載装置を持つ。利用者が地上の入出庫口に自転車をセットすると、エレベータが自転車を自動的に保管棚に収容する。
【０００５】
水平型の機械式自転車駐輪設備では、地上又は地下に直方体の自転車室を構築し、自転車室に水平方向に多列にかつ上下方向に多段に保管棚を配列している。自転車室には、保管棚の列と平行に水平方向に移動して自転車を保管棚に収容する走行台車装置が設けられる。水平型の機械式自転車駐輪設備には、円筒型の機械式自転車駐輪設備に比べて保管棚の数、すなわち自転車の台数を多くとれるという利点がある。
【０００６】
ところで、出願人は水平型の機械式自転車駐輪設備の一種として、入出庫口、昇降装置、中継装置、及び走行台車装置を備える機械式自転車駐輪設備を提案している（特許文献１参照）。利用者が地上の入出庫口に自転車をセットすると、昇降装置が入出庫口にセットされた自転車を引き込み、地下に下降させ、中継装置に渡す。中継装置は旋回機能を持ち、受け取った自転車を水平面内で旋回させる。走行台車装置は中継装置から自転車を受け取り、水平方向に移動して目的の保管棚に自転車を収容する。この機械式自転車駐輪設備によれば、昇降装置と走行台車装置との間に旋回機能を持つ中継装置を介在させることで、入出庫口及び走行台車装置のレイアウトの自由度が高まるという利点がある。
【先行技術文献】
【特許文献】
【０００７】
【特許文献１】特開２０１２−１８４６１０号公報
【発明の開示】
【発明が解決しようとする課題】
【０００８】
しかし、特許文献１に記載の機械式自転車駐輪設備にあっては、入出庫口及び走行台車装置のレイアウトの自由度が高まるといっても、入出庫口と走行台車装置の位置が中継装置の旋回円周上に限定されるという課題がある。このため、例えば歩道に入出庫口を設置し、幅の広い車道の地下に自転車室を設置するなどというようなレイアウトが困難であった。また、入出庫口に対する走行台車装置の設置台数は、現実的には３台までで、入出庫口に対する走行台車装置の数にも限界があるという課題もある。
【０００９】
そこで本発明は、入出庫口及び走行台車装置のレイアウトの自由度を増すことができ、また走行台車装置の数も増やすことができる機械式自転車駐輪設備を提供することを目的とする。
【課題を解決するための手段】
【００１０】
本発明の第一の態様は、自転車がセットされる入出庫口と、入出庫口との間で自転車の受け渡しを行うと共に、自転車を昇降及び／又は水平面内で旋回させる入出庫装置と、前記入出庫装置によって自転車の受け渡しが行われると共に、自転車を水平方向に移動させる中継装置と、前記中継装置との間で自転車の受け渡しを行うと共に、自転車を保管棚に収容する走行台車装置と、を備える機械式自転車駐輪設備により、上記課題を解決する。
【００１１】
本発明の第二の態様は、建築物の内部又は外部に配置され、自転車がセットされる入出庫口と、前記入出庫口との間で自転車の受け渡しを行うと共に、自転車を昇降及び／又は水平面内で旋回させる入出庫装置と、前記建築物の内部に配置され、自転車を保管する保管棚と、前記入出庫装置が受け取った自転車を前記保管棚まで移動させる移動経路と、を備え、前記移動経路は、自転車を水平方向に移動させる中継装置の走行路と、前記中継装置との間で自転車の受け渡しを行うと共に、自転車を保管棚に収容する走行台車装置の走行路と、を備える機械式自転車駐輪設備により、上記課題を解決する。
【００１２】
本発明の第三の態様は、入出庫口にセットされた自転車を保管棚に保管する機械式自転車駐輪方法において、入出庫装置が前記入出庫口との間で自転車の受け渡しを行う工程と、前記入出庫装置が自転車を昇降及び／又は水平面内で旋回させる工程と、前記入出庫装置が中継装置との間で自転車の受け渡しを行う工程と、前記中継装置が自転車を水平方向に移動させる工程と、走行台車装置が前記中継装置との間で自転車の受け渡しを行う工程と、前記走行台車装置が自転車を保管棚に収容する工程と、を備える機械式自転車駐輪方法により、上記課題を解決する。
【発明の効果】
【００１３】
本発明によれば、中継装置に水平方向の移動機能を付加することにより走行台車装置の設置位置を中継装置の走行路の距離に応じて拡張することができる。また中継装置の走行路の延長上であれば複数の走行台車装置を設置できるようになる。したがって、入出庫口及び走行台車装置のレイアウトの自由度を増すことができ、走行台車装置の台数も増やすことができる。
【図面の簡単な説明】
【００１４】
【図１】本発明の第一の実施形態の機械式自転車駐輪設備の平面図
【図２】図１のII-II線断面図
【図３】図１のIII-III線断面図
【図４】図１のIV-IV線断面図
【図５】図１の中継装置が移動した状態を示す平面図
【図６】本発明の第二の実施形態の機械式自転車駐輪設備の平面図
【図７】本発明の第三の実施形態の機械式自転車駐輪設備の平面図
【図８】本発明の第四の実施形態の機械式自転車駐輪設備の平面図
【図９】本発明の第五の実施形態の機械式自転車駐輪設備の平面図
【発明を実施するための最良の形態】
【００１５】
以下添付図面に基づいて、本発明の実施形態の機械式自転車駐輪設備（以下単に駐輪設備という）を詳細に説明する。図１は本発明の第一の実施形態の駐輪設備の平面図を示す。本実施形態の駐輪設備は、入出庫口１ａ，１ｂ、入出庫装置としての昇降装置２ａ，２ｂ、中継装置３ａ，３ｂ、走行台車装置４ａ〜４ｄ、及び保管棚５を備える。以下に駐輪設備の各構成要素を順番に説明する。入出庫口１ａ，１ｂは建築物の外部に設置される。昇降装置２ａ，２ｂ、中継装置３ａ，３ｂ、走行台車装置４ａ〜４ｄ、及び保管棚５は、建築物の内部に設置される。
【００１６】
入出庫口１ａ，１ｂは利用者が自転車をセットするところであり、かつ出庫時に自転車が出されるところである。入出庫口１ａ，１ｂは歩道上に設けられる。車道の両側には二本の歩道が併設されていて、各歩道上に入出庫口１ａ，１ｂが設けられる。一方の入出庫口１ａから入庫された自転車を一方の入出庫口１ａから出庫することも可能になっているし、一方の入出庫口１ａから入庫された自転車を他方の入出庫口１ｂから出庫することも可能になっている。一般的な駐輪設備と同様に入出庫口１ａ，１ｂには自転車を案内するための溝、自転車を自立させるための自転車保持部が設けられる。自転車保持部は例えば自転車の後輪を左右に挟むローラ又は板ばね等からなる。
【００１７】
車道の下には自転車を保管するための自転車室が構築される。自転車室はコンクリート製の躯体からなる建築物になっている。自転車室には自転車が収容される多数の保管棚５が配列される。
【００１８】
入出庫装置としての昇降装置２ａ，２ｂは、入出庫口１ａ，１ｂとの間で自転車の受け渡しを行うと共に、自転車を地下の自転車室まで下降させる。この実施形態では、昇降装置２ａ，２ｂの台数は入出庫口１ａ，１ｂの数と等しく二台であるが、昇降装置２ａ，２ｂに自転車を水平面内で旋回させる旋回機能を持たせれば、昇降装置１台に対して入出庫口１ａ，１ｂを二個設けることも可能であり、利用者の利便性が向上する。
【００１９】
図２に示すように、昇降装置２ａ，２ｂは、入出庫口１ａ，１ｂとの間で自転車の受け渡しを行う移載装置７と、移載装置７が載せられる昇降体８を昇降させるエレベータと、を備える。昇降体８は支柱９に沿って昇降可能となっている。エレベータには、例えばカウンターウェイト式のエレベータが用いられる。カウンターウェイト式のエレベータでは、昇降体８とロープで結ばれた反対側におもり１０を吊るし、巻上モータ１８の回転速度を制御して昇降体８を昇降させる。
【００２０】
移載装置７は、自転車の前輪を掴んで入出庫口１ａ，１ｂ上の自転車を昇降体８上に引き込む。移載装置７は、断面Ｖ字形で自転車の長さに応じた長さを持つ細長部材からなる案内部１１と、自転車の前輪を左右方向から掴むプレート状の一対のホルダ１２と、ホルダ１２を開閉するクランプ機構１３と、自転車を案内部１１に沿ってスライドさせる駆動機構１４と、を備える。駆動機構１４は、例えば無端状のベルトを備え、モータによってベルトを周回させることによって、自転車を案内部１１に沿って移動させるようになっている。
【００２１】
入庫時には、昇降体８は地上まで上昇している。利用者が入出庫口１ａ，１ｂに自転車をセットし、駐輪開始のボタンを押すと（又はカードを挿入すると）、ブース１５の扉１６が開き、ブース１５の中から移載装置７が出てくる。移載装置７は自転車の前輪を掴んで、自転車を昇降体８上に引き込む。移載装置７が自転車の前輪を掴んだままであるので、自転車が昇降体８上で自立する。その後、昇降装置２ａ，２ｂは自転車を地下まで下降させる。
【００２２】
なお、この実施形態では、昇降装置２ａ，２ｂには自転車を水平面内で旋回させる旋回機能が設けられておらず、昇降装置２ａ，２ｂは入出庫口１ａ，１ｂにセットされた自転車の姿勢を一定に保ったまま下降させるが、昇降装置２ａ，２ｂに自転車を水平面内で旋回させる旋回機能を持たせることも可能である。
【００２３】
図１に示すように、昇降装置２ａ，２ｂは自転車を地下まで下降させた後、地下の中継装置３ａ，３ｂとの間で自転車の受け渡しを行う。この実施形態では中継装置３ａ，３ｂの台数は昇降装置２ａ，２ｂの台数と等しく二台であるが、中継装置３の台数はこの実施形態に限られることはなく一台とすることもできる。また、レール２６ａ，２６ｂの端部を昇降装置２ａ，２ｂの外側まで延ばして中継装置の退避スペースを確保すれば、中継装置３の台数を三台以上とすることも可能であり、この場合は、中継装置が一時保管の機能も合わせ持つので、入出庫動作の自由度が更に向上する。中継装置３ａ，３ｂには移載装置は設けられておらず、自転車の受け渡しは昇降装置２ａ，２ｂによって行われる。
【００２４】
図４に示すように、中継装置３ａ，３ｂは、昇降装置２ａ，２ｂから渡された自転車を保持する保持部２１と、自転車を水平面内で旋回させる旋回装置２２と、自転車を水平方向に移動させる台車２３と、を備える。
【００２５】
保持部２１は、断面Ｖ字形で自転車の長さに応じた長さを持つ細長部材からなると共に、保持部２１の一端部には自転車の後輪を挟む板ばね２４を備える。図１に示すように、昇降装置２ａ，２ｂが自転車を地下まで下降させると、昇降装置２ａ，２ｂの案内部１１と中継装置３ａ，３ｂの保持部２１とが一直線上に並ぶ。昇降装置２ａ，２ｂの移載装置７が自転車の前輪を掴んで自転車を中継装置３ａ，３ｂ上に押し出すと、自転車の後輪が板ばね２４に挟まれ、自転車が保持部２１に自立する。中継装置３ａ，３ｂに自転車を渡した後、移載装置７はホルダ１２によるクランプを解除し、昇降体８上に戻る。
【００２６】
図４に示すように、中継装置３ａ，３ｂの旋回装置２２は保持部２１を水平面内で旋回させるものである。旋回装置２２は、例えば保持部２１の下に取り付けられる従動歯車と、従動歯車に噛み合う原動歯車と、原動歯車を回転駆動させるモータと、を備える。モータが原動歯車を回転駆動すると、保持部２１が水平面内で旋回する。
【００２７】
中継装置３ａ，３ｂの保持部２１及び旋回装置２２は台車２３に載せられる。台車２３は、一対のレール２６ａ，２６ｂ（図１も参照）上を走行する車輪２７を有する。車輪２７はモータによって回転駆動される。図１に示すように、レール２６ａ，２６ｂの端部は昇降装置２ａ，２ｂの近傍まで伸びる。図３に示すように、中継装置３ａ，３ｂの台車２３はレール２６ａ，２６ｂに沿って自転車を水平方向に移動させる。
【００２８】
図１に示すように、走行台車装置４ａ〜４ｄは中継装置３ａ，３ｂとの間で自転車の受け渡しを行う。走行台車装置４ａ〜４ｄは中継装置３ａ，３ｂの走行路３１に沿って走行路３１の両側に複数設けられる。走行台車装置４ａ〜４ｄの走行路５３は、中継装置３ａ，３ｂの走行路３１と直交する。この実施形態では、合計四台の走行台車装置４ａ〜４ｄが設けられる。中継装置３ａ，３ｂには旋回機能が設けられているので、中継装置３ａ，３ｂは走行路３１の左右の走行台車装置４ａ〜４ｄに自転車を振り分けることができる。中継装置３ａ，３ｂの旋回円を図中二点鎖線３２で示す。
【００２９】
なお、図１では、走行路３１や走行路５３は直線的で、走行路３１と走行路５３とは直交しているが、機械式自転車駐輪設備として機能する範囲において、走行路３１や走行路５３は湾曲していても良いし、走行路３１と走行路５３とは必ずしも直交していなくても良い。以下、他の実施形態でも同様である。
【００３０】
図５に示すように、中継装置３ｂは入出庫口１ｂに近い側の走行台車装置４ｂ，４ｄだけでなく、入出庫口１ｂから遠い側の走行台車装置４ａ，４ｃの近くまで移動できるようになっている。同様に中継装置３ａも入出庫口１ａから遠い側の走行台車装置４ｂ，４ｄ近くまで移動できるようになっている。すなわち、二台の中継装置３ａ，３ｂそれぞれは全ての走行台車装置４ａ〜４ｄとの間で自転車を受け渡しができるようになっている。
【００３１】
図４に示すように、走行台車装置４ａ〜４ｄは、中継装置３ａ，３ｂとの間で自転車の受け渡しを行う移載装置３４と、自転車を水平面内で旋回させる旋回装置３５と、自転車を水平方向に移動させる台車３６と、を備える。
【００３２】
走行台車装置４ａ〜４ｄの移載装置３４は、中継装置３ａ，３ｂ上の自転車の前輪を掴んで台車３６上に自転車を引き込む。走行台車装置４ａ〜４ｄの移載装置３４の構造は昇降装置２ａ，２ｂの移載装置７と略同一であるので、その説明を省略する。
【００３３】
旋回装置３５の構造は、中継装置３ａ，３ｂの旋回装置２２と略同一であるので、その説明を省略する。図１に旋回装置３５の旋回円を二点鎖線４８で示す。
【００３４】
図４に示すように、台車３６は、下部レール４１ａ上を走行する台車本体３７と、台車本体３７から垂直方向に立設するマスト３８と、マスト３８に沿って昇降する昇降体３９と、を備える。昇降体３９に移載装置３４及び旋回装置３５が設けられる。
【００３５】
自転車室の天井には、一本の上部レール４１ｂが設けられ、自転車室の床面には平行な一対の下部レール４１ａが設けられる。これらの上部レール４１ｂ及び下部レール４１ａの間を走行台車装置４ａ〜４ｄが走行する。台車本体３７は、下部レール４１ａ上を走行する。マスト３８の上端部には台車３６の走行を案内するためのローラ４２が設けられる。
【００３６】
移載装置３４及び旋回装置３５は台車３６の昇降体３９上に載せられる。昇降体３９はマスト３８に沿って昇降する。昇降体３９はベルト４９の下端に吊り下げられる。ベルト４９の他端には、カウンターウェイトが吊り下げられる。ベルト４９はマスト３８の上端部に設けた滑車５０によって巻き上げられる。
【００３７】
走行台車装置４ａ〜４ｄには、台車３６を走行させるためのサーボモータ、昇降体３９を昇降させるためのサーボモータ、移載装置３４を動作させるサーボモータ、旋回装置３５を動作させるサーボモータを制御するための制御盤５１が設けられる。
【００３８】
走行台車装置４ａ〜４ｄの移載装置３４は中継装置３ａ，３ｂ上の自転車の前輪を掴み、台車３６上に引き込む。自転車を受け取った台車３６は中継装置３ａ，３ｂの走行方向と直交方向に自転車を移動させる。
【００３９】
図１に示すように、自転車室には多数の保管棚５が配列される。保管棚５は各走行台車装置４ａ〜４ｄの走行路５３の左右の両側に走行路５３の長手方向に沿って配置される。自転車は、その前後輪の方向が走行路５３の長手方向と直交するように保管棚５に収容される。保管棚５は、上下方向に複数段、水平方向に複数列の自転車収納部５２を有する。
【００４０】
各自転車収納部５２は、自転車の車輪が嵌まるＶ字形の棚部材５２ａと、自転車の後輪を挟む板ばねを備える。走行台車装置４ａ〜４ｄは自転車収納部５２に自転車を後輪側から入れる。自転車収納部５２に収納された自転車は板ばねよって保持される。
【００４１】
機械式自転車駐輪設備の全体の動作の概略は以下のとおりである。図２に示すように、利用者が入出庫口１ａ，１ｂに自転車をセットし、駐輪開始のためのボタンを押すと（又はカードを挿入すると）、ブース１５の扉１６が開き、扉１６の中から昇降装置２ａ，２ｂの移載装置７が出てきて自転車の前輪を掴み、自転車を昇降体８上に引き込む。
【００４２】
昇降装置２ａ，２ｂは自転車を地下まで下降させる。図１に示すように、自転車が中継装置３ａ，３ｂの高さまで下降したら、昇降装置２ａ，２ｂの移載装置７が自転車を中継装置３ａ，３ｂに受け渡す。
【００４３】
自転車が渡された中継装置３ａ，３ｂは水平方向に移動し、目的の走行台車装置４ａ〜４ｄの近くまで移動する。中継装置３ａ，３ｂは旋回機能を持っているので、中継装置３ａ，３ｂの左右の走行台車装置４ａ〜４ｄに自転車を振り分けることができる。また、中継装置３ａ，３ｂは中継装置３ａ，３ｂの走行路３１に沿った複数の走行台車装置４ａ〜４ｄに自転車を受け渡すことが可能になっている。なお、中継装置３ａを入出庫口１ａ側の二台の走行台車装置４ａ，４ｃの専用とし、中継装置３ｂを入出庫口１ｂ側の二台の走行台車装置４ｂ，４ｄの専用とすることも可能である。
【００４４】
走行台車装置４ａ〜４ｄは、中継装置３ａ，３ｂから自転車を受け取り、目的の保管棚５の自転車収納部５２まで自転車を移動させ、目的の自転車収納部５２に自転車を収容する。中継装置３ａ，３ｂの走行路３１及び走行台車装置４ａ〜４ｄの走行路５３は、入出庫装置としての昇降装置２ａ，２ｂが受け取った自転車を保管棚５まで移動させる移動経路を構成する。以上により自転車の入庫が終了する。自転車を出庫するときは上記と逆の動作が行われる。
【００４５】
なお、上記第一の上記実施形態では、入出庫口１ａ，１ｂを二か所設けているが、入出庫口１ａ又は１ｂは一か所でもよい。また、第一の実施形態では、入出庫口に合わせて中継装置を二台設けているが、中継装置の数は一台でもよい。さらに、第一の実施形態では、中継装置３の走行路３１の左右に走行台車装置４ａ〜４ｄを設置しているが、中継装置３の走行路３１の片側のみに走行台車装置４ａ，４ｂ又は４ｃ，４ｄを設けてもよいし、走行台車装置４ａ，４ｂ，４ｃ又は４ｄの数は一台でもよい。中継装置３の走行路３１の片側のみに走行台車装置４ａ，４ｂ又は４ｃ，４ｄを設けた場合、中継装置の旋回機能を省略することできる。
【００４６】
以上に本実施形態の機械式自転車駐輪設備の構造を説明した。本実施形態の機械式自転車駐輪設備によれば、以下の効果を奏する。
【００４７】
中継装置３ａ，３ｂに水平方向の移動機能を付加することにより、走行台車装置４ａ〜４ｄの設置位置を中継装置３ａ，３ｂの走行路の距離に応じて拡張することができる。このため、例えば歩道上に入出庫口１ａ，１ｂを配置し、大きなスペースをとれる車道の下に走行台車装置４ａ〜４ｄ、保管棚５を配置することが可能になる。
【００４８】
中継装置３ａ，３ｂの走行路３１に沿って複数の走行台車装置４ａ〜４ｄを設けるので、走行台車装置４ａ〜４ｄの数も増やすことができる。
【００４９】
中継装置３ａ，３ｂに自転車を水平面内で旋回させる機能を付加することにより、中継装置３ａ，３ｂの左右の走行台車装置４ａ〜４ｄに自転車を分配することが可能になる。
【００５０】
入出庫口１ａ，１ｂを複数設け、一方の入出庫口１ａから入庫された自転車を他方の入出庫口１ｂから出庫することを可能にすることで、利用者の利便性が向上する。
【００５１】
走行路３１に複数の中継装置３ａ，３ｂを設けることで、自転車の入出庫のために必要な時間を短縮することができる。
【００５２】
図６は本発明の第二の実施形態の機械式自転車駐輪設備の平面図を示す。第一の実施形態では入出庫口１ａ，１ｂが地上に設けられ、保管棚５が地下に設けられていたが、この実施形態では、入出庫口６１及び保管棚６２のいずれも地上に設けられている。入出庫装置６３は旋回装置を有し、入出庫口６１から受け取った自転車を水平面内で旋回のみさせる。また、入出庫装置６３は移載装置６４を有し、自転車を旋回させた後、自転車を中継装置６５に受け渡す。入出庫装置６３の移載装置６４の構成は第一の実施形態の入出庫装置（昇降装置２ａ，２ｂ）の移載装置７と同一であり、入出庫装置６３の旋回装置の構成は第一の実施形態の中継装置３ａ，３ｂの旋回装置２２と同一である。自転車が渡された中継装置６５は自転車を水平方向に移動させる。走行台車装置６６の走行路は、中継装置６５の走行路の左右の両側に配置される。中継装置６５は、自転車を水平面内で旋回させる旋回機能を持ち、左右の両側に配置される中継装置６５に自転車を振り分ける。走行台車装置６６は中継装置６５から自転車を受け取った後、保管棚６２の目的の自転車収納部６７に自転車を収容する。中継装置６５、走行台車装置６６及び保管棚６２の構成は上記第一の実施形態と同一である。第二の実施形態の駐輪設備のように、入出庫口６１及び保管棚６２を同一フロアに配置することも可能である。
【００５３】
図７は本発明の第三の実施形態の機械式自転車駐輪設備の平面図を示す。上記第一及び第二の実施形態では、一台の入出庫装置２ａ，２ｂ，又は６３に対して一つの走行路３１が設けられていたが、この実施形態では、一台の入出庫装置７２に対して二つの走行路Ａライン７４ａ，Ｂライン７４ｂが設けられている。そして、二つの走行路Ａライン７４ａ，Ｂライン７４ｂそれぞれに中継装置７３ａ又は７３ｂが設けられる。この実施形態の入出庫装置７２は、自転車を昇降させると共に旋回させる機能を持つ。入出庫装置７２の旋回装置の構成は第一の実施形態の中継装置３ａ，３ｂの旋回装置２２と同一である。
【００５４】
自転車室７７には二つの走行路（Ａライン７４ａ及びＢライン７４ｂ）が入出庫装置７２を挟むように設けられる。入出庫装置７２は入出庫口７１から受け取った自転車を下降させると共に水平面内で旋回させ、Ａライン７４ａの中継装置７３ａに渡す。入出庫装置７２が反対方向に旋回すればＢライン７４ｂの中継装置７３ｂに自転車を渡すことができる。この実施形態では、入出庫装置７２に旋回機能を持たせることで二つの走行路７４ａ，７４ｂそれぞれの中継装置７３ａ又は７３ｂに自転車を振り分けている。入出庫装置７２から自転車を受け取った中継装置７３ａ，７３ｂは、水平方向に自転車を移動させる。走行台車装置７６ａ〜７６ｆは水平方向に移動させた自転車を中継装置７３ａ，７３ｂから受け取り、保管棚７８の目的の自転車収納部７９に自転車を収容する。中継装置７３ａ，７３ｂ、走行台車装置７６ａ〜７６ｆ及び保管棚７８の構成は、上記第一の実施形態と同一である。
【００５５】
第三の実施形態の駐輪設備によれば、中継装置７３ａ，７３ｂを複数設け、旋回機能を持つ入出庫装置７２が複数の中継装置７３ａ，７３ｂに自転車を受け渡すようにすることで、一台の入出庫装置７２に対する中継装置７３ａ，７３ｂの台数を増やすことができる。
【００５６】
なお、図７の第三の実施形態では、入出庫装置７２が同一フロアの二台の中継装置７３ａ，７３ｂに自転車を受け渡しているが、設計的には三台以上の中継装置に自転車を受け渡すことも可能である。また、図７の第三の実施形態では、入出庫装置７２に昇降機能を持たせ、入出庫口７１と保管棚７８の階を異ならせているが、入出庫装置に昇降機能を持たせることなく、入出庫口７１と保管棚７８を同一フロアに配置することも可能である。さらに、図７の第三の実施形態では、二つの走行路Ａライン７４ａ，Ｂライン７４ｂを同一フロアに配置しているが、例えば、二つの走行路Ａライン７４ａ，Ｂライン７４ｂの階を異ならせる、すなわち走行路Ａライン７４ａを地下１階に設け、走行路Ｂライン７４ｂを地下２階に設けることも可能である。
【００５７】
図８は本発明の第四の実施形態の機械式自転車駐輪設備の平面図を示す。上記第一の実施形態では、中継装置３ａ，３ｂの走行路３１に四台の走行台車装置４ａ〜４ｄの走行路５３が接続されていたが、この実施形態では、中継装置８３の走行路に第一の走行台車装置８４の走行路が接続され、第一の走行台車装置８４の走行路に走行台車中継装置８５の走行路を介して第二の走行台車装置８６の走行路が接続されている。走行台車中継装置８５の走行路は、建築物を支持する複数の柱９０の間を通り抜けるように配置される。
【００５８】
この実施形態の入出庫装置８２は、入出庫口８１から自転車を受け取り、自転車を昇降させると共に水平面内で旋回させ、中継装置８３に自転車を渡す。中継装置８３は、自転車を水平方向に移動させると共に、自転車を第一の走行台車装置８４に向ける。第一の走行台車装置８４は、中継装置８３から受け取った自転車を水平方向に移動させて第一の保管棚８７に自転車を収容する。
【００５９】
また、第一の走行台車装置８４は、中継装置８３から受け取った自転車を水平方向に移動させて、走行台車中継装置８５に渡す。走行台車中継装置８５は、第二の走行台車装置８６に向かって水平方向に自転車を移動させる。第二の走行台車装置８６は、走行台車中継装置８５から自転車を受け取り、自転車を水平方向に移動させて第二の保管棚８８に自転車を収容する。中継装置８３、第一及び第二の走行台車装置８４，８６及び第一及び第二の保管棚８７，８８の構成は、上記第一の実施形態と同一である。走行台車中継装置８５の構成は第一の実施形態の中継装置３ａ，３ｂと同一である。
【００６０】
第四の実施形態の駐輪設備によれば、第一の走行台車装置８４から走行台車中継装置８５を介して隣り合う第二の走行台車装置８６へ自転車を分岐して受け渡すことができる。また、第一の走行台車装置８４の走行路の途中に走行台車中継装置８５を介して第二の走行台車装置８６の走行路を接続することも可能になる。したがって、自転車室８９のレイアウトの自由度が増し、自転車室８９に効率的に自転車を収容することができる。
【００６１】
図９は本発明の第五の実施形態の機械式自転車駐輪設備の平面図を示す。上記第四の実施形態では、第一の走行台車装置８４と第二の走行台車装置８６とを旋回機能及び水平方向の移動機能を持つ走行台車中継装置８５で繋げているが、第五の実施形態では、旋回機能のみを持つ走行台車中継装置８５−１で繋げている点が第四の実施形態の駐輪設備と異なる。また、第一の走行台車装置８４の走行路と第二の走行台車装置８６の走行路とが直交する点が第四の実施形態の駐輪設備と異なる。その他の構成は第四の実施形態の構成と同一であるので、同一の符号を附してその説明を省略する。
【００６２】
第五の実施形態の駐輪設備によれば、第一の走行台車装置８４から走行台車中継装置８５−１を介して走行方向の異なる第二の走行台車装置８６へ自転車を分岐して受け渡すことができる。
【符号の説明】
【００６３】
１ａ，１ｂ…入出庫口
２ａ，２ｂ…昇降装置（入出庫装置）
３ａ，３ｂ…中継装置
４ａ〜４ｄ…走行台車装置
５…保管棚
３１…中継装置の走行路（移動経路）
５３…走行台車装置の走行路（移動経路）
６１…入出庫口
６２…保管棚
６３…入出庫装置
６５…中継装置
６６…走行台車装置
７１…入出庫口
７２…入出庫装置
７３ａ，７３ｂ…中継装置
７６ａ〜７６ｆ…走行台車装置
７８…保管棚
８１…入出庫口
８２…入出庫装置
８３…中継装置
８４…第一の走行台車装置（走行台車装置）
８５…走行台車中継装置
８６…第二の走行台車装置（走行台車装置）
８７…第一の保管棚（保管棚）
８８…第二の保管棚（保管棚）
【図１】
2014224443.tif 000003
【図２】
2014224443.tif 000004
【図３】
2014224443.tif 000005
【図４】
2014224443.tif 000006
【図５】
2014224443.tif 000007
【図６】
2014224443.tif 000008
【図７】
2014224443.tif 000009
【図８】
2014224443.tif 000010
【図９】
2014224443.tif 000011
【手続補正書】
【提出日】平成26年9月3日(2014.9.3)
【手続補正１】
【補正対象書類名】特許請求の範囲
【補正対象項目名】全文
【補正方法】変更
【補正の内容】
【特許請求の範囲】
【請求項１】
自転車がセットされる入出庫口と、
自転車の受け渡しを行う移載装置を有し、前記入出庫口との間で自転車の受け渡しを行うと共に、自転車を昇降及び／又は水平面内で旋回させる入出庫装置と、
自転車の受け渡しを行う移載装置を有することなく、前記入出庫装置の移載装置によって自転車の受け渡しが行われると共に、自転車を水平方向に移動させる中継装置と、
自転車の受け渡しを行う移載装置を有し、前記中継装置との間で走行台車装置の移載装置によって自転車の受け渡しを行うと共に、自転車を保管棚に収容する前記走行台車装置と、を備える機械式自転車駐輪設備。
【請求項２】
前記中継装置の走行路に沿って複数の走行台車装置が設けられ、
前記中継装置と前記複数の走行台車装置との間で自転車を受け渡すことが可能であることを特徴とする請求項１に記載の機械式自転車駐輪設備。
【請求項３】
前記中継装置は、自転車を水平方向に移動させ、かつ自転車を水平面内で旋回させることを特徴とする請求項１又は２に記載の機械式自転車駐輪設備。
【請求項４】
前記中継装置の走行路に沿って複数の走行台車装置が設けられると共に、前記中継装置の前記走行路を挟んだ左右それぞれに前記複数の走行台車装置が設けられ、
前記中継装置と前記複数の走行台車装置との間で自転車を受け渡すことが可能であることを特徴とする請求項１ないし３のいずれかに記載の機械式自転車駐輪設備。
【請求項５】
前記入出庫口並びに前記入出庫装置が複数設けられ、
一方の前記入出庫口から入庫された自転車を、前記中継装置を介して他方の前記入出庫口から出庫することが可能であることを特徴とする請求項１ないし４のいずれかに記載の機械式自転車駐輪設備。
【請求項６】
前記中継装置の前記走行路に複数の中継装置が設けられることを特徴とする請求項４又は５に記載の機械式自転車駐輪設備。
【請求項７】
前記中継装置の走行路が複数設けられ、
前記入出庫装置は、自転車を旋回させて、前記複数の走行路それぞれに設けられた中継装置に自転車を受け渡すことを特徴とする請求項１ないし６のいずれかに記載の機械式自転車駐輪設備。
【請求項８】
前記保管棚が車道の下に配置され、前記入出庫口が歩道に配置されることを特徴とする請求項１ないし７のいずれかに記載の機械式自転車駐輪設備。
【請求項９】
建築物の内部又は外部に配置され、自転車がセットされる入出庫口と、
自転車の受け渡しを行う移載装置を有し、前記入出庫口との間で自転車の受け渡しを行うと共に、自転車を昇降及び／又は水平面内で旋回させる入出庫装置と、
前記建築物の内部に配置され、自転車を保管する保管棚と、
前記入出庫装置が受け取った自転車を前記保管棚まで移動させる移動経路と、を備え、
前記移動経路は、
自転車を水平方向に移動させる中継装置の走行路と、
前記中継装置との間で自転車の受け渡しを行うと共に、自転車を前記保管棚に収容する走行台車装置の走行路と、を備え、
前記中継装置は、自転車の受け渡しを行う移載装置を有することなく、前記入出庫装置と前記中継装置との間で前記入出庫装置の移載装置によって自転車の受け渡しが行われ、
前記走行台車装置は、自転車の受け渡しを行う移載装置を有し、前記中継装置と前記走行台車装置との間で前記走行台車装置の移載装置によって自転車の受け渡しが行われる機械式自転車駐輪設備。
【請求項１０】
前記中継装置の走行路と前記走行台車装置の走行路とが直交することを特徴とする請求項９に記載の機械式自転車駐輪設備。
【請求項１１】
前記中継装置の走行路の左右の両側に複数の走行台車装置の走行路が配置され、
前記中継装置は、自転車を水平面内で旋回させる機能を持つと共に、前記複数の走行台車装置に自転車を振り分けることを特徴とする請求項９又は１０に記載の機械式自転車駐輪設備。
【請求項１２】
一台の前記入出庫装置に対して複数の中継装置の走行路が配置され、
前記入出庫装置は、自転車を水平面内で旋回させる機能を持つと共に、前記複数の中継装置に自転車を振り分けることを特徴とする請求項９又は１０に記載の機械式自転車駐輪設備。
【請求項１３】
前記保管棚は、第一及び第二の保管棚を備え、
前記走行台車装置は、前記第一の保管棚に自転車を収容する第一の走行台車装置と、前記第二の保管棚に自転車を収容する第二の走行台車装置と、を備え、
前記移動経路には、前記第一の走行台車装置と前記第二の走行台車装置との間で自転車の受け渡しができるように、自転車を水平方向に移動及び／又は水平面内で旋回させる走行台車中継装置が配置されることを特徴とする請求項９又は１０に記載の機械式自転車駐輪設備。
【請求項１４】
前記移動経路の少なくとも一部は、前記建築物を支持する複数の柱の間を通り抜けるように配置され、
前記保管棚は、前記走行台車装置の走行路の長手方向に沿って配置され、
自転車は、その前後輪の方向が前記走行台車装置の走行路の長手方向と略直交するように前記保管棚に収容されることを特徴とする請求項９又は１０に記載の機械式自転車駐輪設備。
【請求項１５】
入出庫口にセットされた自転車を保管棚に保管する機械式自転車駐輪方法において、
自転車の受け渡しを行う移載装置を有する入出庫装置が前記入出庫口との間で自転車の受け渡しを行う工程と、
前記入出庫装置が自転車を昇降及び／又は水平面内で旋回させる工程と、
前記入出庫装置の移載装置が自転車の受け渡しを行う移載装置を有さない中継装置との間で自転車の受け渡しを行う工程と、
前記中継装置が自転車を水平方向に移動させる工程と、
自転車の受け渡しを行う移載装置を有する走行台車装置が前記走行台車装置の移載装置によって前記中継装置との間で自転車の受け渡しを行う工程と、
前記走行台車装置が自転車を保管棚に収容する工程と、を備える機械式自転車駐輪方法。
【手続補正２】
【補正対象書類名】明細書
【補正対象項目名】００１０
【補正方法】変更
【補正の内容】
【００１０】
本発明の第一の態様は、自転車がセットされる入出庫口と、自転車の受け渡しを行う移載装置を有し、前記入出庫口との間で自転車の受け渡しを行うと共に、自転車を昇降及び／又は水平面内で旋回させる入出庫装置と、自転車の受け渡しを行う移載装置を有することなく、前記入出庫装置の移載装置によって自転車の受け渡しが行われると共に、自転車を水平方向に移動させる中継装置と、自転車の受け渡しを行う移載装置を有し、前記中継装置との間で走行台車装置の移載装置によって自転車の受け渡しを行うと共に、自転車を保管棚に収容する走行台車装置と、を備える機械式自転車駐輪設備により、上記課題を解決する。
【手続補正３】
【補正対象書類名】明細書
【補正対象項目名】００１１
【補正方法】変更
【補正の内容】
【００１１】
本発明の第二の態様は、建築物の内部又は外部に配置され、自転車がセットされる入出庫口と、自転車の受け渡しを行う移載装置を有し、前記入出庫口との間で自転車の受け渡しを行うと共に、自転車を昇降及び／又は水平面内で旋回させる入出庫装置と、前記建築物の内部に配置され、自転車を保管する保管棚と、前記入出庫装置が受け取った自転車を前記保管棚まで移動させる移動経路と、を備え、前記移動経路は、自転車を水平方向に移動させる中継装置の走行路と、前記中継装置との間で自転車の受け渡しを行うと共に、自転車を前記保管棚に収容する走行台車装置の走行路と、を備え、前記中継装置は、自転車の受け渡しを行う移載装置を有することなく、前記入出庫装置と前記中継装置との間で前記入出庫装置の移載装置によって自転車の受け渡しが行われ、前記走行台車装置は、自転車の受け渡しを行う移載装置を有し、前記中継装置と前記走行台車装置との間で前記走行台車装置の移載装置によって自転車の受け渡しが行われる機械式自転車駐輪設備により、上記課題を解決する。
【手続補正４】
【補正対象書類名】明細書
【補正対象項目名】００１２
【補正方法】変更
【補正の内容】
【００１２】
本発明の第三の態様は、入出庫口にセットされた自転車を保管棚に保管する機械式自転車駐輪方法において、自転車の受け渡しを行う移載装置を有する入出庫装置が前記入出庫口との間で自転車の受け渡しを行う工程と、前記入出庫装置が自転車を昇降及び／又は水平面内で旋回させる工程と、前記入出庫装置の移載装置が自転車の受け渡しを行う移載装置を有さない中継装置との間で自転車の受け渡しを行う工程と、前記中継装置が自転車を水平方向に移動させる工程と、自転車の受け渡しを行う移載装置を有する走行台車装置が前記走行台車装置の移載装置によって前記中継装置との間で自転車の受け渡しを行う工程と、前記走行台車装置が自転車を保管棚に収容する工程と、を備える機械式自転車駐輪方法により、上記課題を解決する。